(57)【要約】      （修正有）【課題】睡眠時に発生する汗の処理が容易であり、熱がこもらず、沈み込みがほとんどなく転がり運動も容易である敷布団を提供する。【解決手段】敷布団１０は、上敷き板１１と、上敷き板１１下面全面に重ね合わされた下敷き板１６と、これらを包む布製のカバー１８とを備えている。上敷き板１１は、ポリエステル繊維製で厚さ１８〜３０ｍｍの長方形の厚板状であり、上下ラッセル編み面が、対向する一対の辺の長さが他の辺の長さより長い六角形を蜂の巣状に連続して組み合わせたもので、対向する両ラッセル編み面の間を、モノファイバーにより編んでパイル部として連結させている。下敷き板１６は、伸縮性と通気性を有するウレタン等の多孔質樹脂製のスポンジ状の板である。【選択図】図２
0003152192.tif 000002
【実用新案登録請求の範囲】
【請求項１】
長方形のネット状の厚板であって、両面が樹脂線維を用いたラッセル編みにより線状の六角形を蜂の巣状に連続して組み合わせたラッセル編み面になっており、該両ラッセル編み面間を前記樹脂線維で彎曲状に編んでつなぎ合わせ、加熱状態で引き伸ばされると共に樹脂加工が施された厚さ１８ｍｍ〜３０ｍｍの敷き板を、布製のカバーで包んでなることを特徴とする敷布団。
【請求項２】
前記敷き板の下側全面に重ね合わされ、該敷き板と共に前記カバーで包まれた多孔質樹脂製の下敷き板を設けたことを特徴とする請求項１に記載の敷布団。
【請求項３】
前記敷き板の上側のラッセル編み面の六角形の最長長さを２０ｍｍ±１０％とし、下側のラッセル編み面の六角形の最長長さを４０ｍｍ±１０％としたことを特徴とする請求項１又は２に記載の敷布団。
【請求項４】
前記下側のラッセル編み面にて、複数の六角形の一部について多孔質樹脂材料製の補強部材を内側空間に挿嵌固定させたことを特徴とする請求項１から３のいずれか１項に記載の敷布団。
【請求項５】
前記カバーの長手方向の一端縁にて、前記敷き板と同一材質からなる厚さ１８ｍｍ〜２４ｍｍのネット部材を布製の外カバーで包んだ枕が取付具により取り付けられたことを特徴とする請求項１から４のいずれか１項に記載の敷布団。
【考案の詳細な説明】
【技術分野】
【０００１】
本考案は、敷布団に関する。
【背景技術】
【０００２】
睡眠中には、多量の汗を発生することが多く、そのために敷布団が濡れて不快なことがあり、また体重による敷布団の沈み込みによって体の自由な動きが妨げられることになり、そのため快適な安眠が妨げられることがある。特に、３歳ごろまでの乳幼児は、急速な発育に伴い睡眠の際に大人に比べて多量の汗を発するものであり、また、体が非常に柔らかいため、布団に沈み込むと寝返りがし難くなり、そのために快適な睡眠が妨げられるという問題がある。特に、零歳児や障害児等の多くは自分で体位変換や寝返りを行うことが困難である。また、敷布団が非常に濡れやすいため、敷布団を洗濯したり乾かしたりする手間が煩雑であった。
【０００３】
従来の敷布団としては、例えば特許文献１に示すように、天然繊維又は合成繊維あるいはこれらの混合物よりなる詰め綿の下部に、通気性三次元構造物あるいは粒状物を詰めたマット状物を配し、側地で包みこんでなる除湿性敷布団が知られている。この敷布団によれば、人が睡眠中に汗を発散し、その汗が敷布団の下へ移動したとき、下部の通気性三次元構造物あるいはマット状物が、その通気性によって汗を発散させたり蒸発させたりするというものである。しかし、乳幼児の場合のように発汗量が非常に多い場合、上記敷布団の下部の通気性三次元構造物等のみでは汗の処理が不十分であり、上側の詰め綿部分に大量の汗が吸収されて残るようになり、また詰め綿部分においては体重による体の沈み込みは避けられない。そのため、この敷布団では、快適な安眠を確保することは困難であった。
【先行技術文献】
【特許文献】
【０００４】
【特許文献１】実開平７−３４０７号公報
【０００５】
ところで、クッション用のネットとして開発された、ポリエステル糸をラッセル織により編んだ厚さ２０ｍｍ程度の多孔性のネットである商品名ダブルラッセルネットＦＵ−０８２５０（福井ファイバーテック株式会社製）が知られている。このネットは、両面がラッセル織により形成された正六角形の対向する一対の辺が他の辺より長い六角形を蜂の巣状に配列した網目構造になっており、この両面間を多数のポリエステル糸で連結させ、さらに１８０℃程度で加熱しながら引っ張って樹脂加工例えば主にＮＢＲ（ニトリルゴム）を用いた加工を施した、ダブルラッセル構造になっている。片面の六角形の長手方向寸法が略２０ｍｍで、他面の六角形の長手方向寸法が略４０ｍｍとなっている。このネットは、ダブルラッセル構造により、空間部分が非常に多くを占めていることから水分の透過性が非常に高くなっており、また定形性を維持しつつ適度な高弾発性が発揮できるため、例えば成人の平均的な体重である５０〜６０ｋｇ程度の重さを加えても、ほとんど凹みを生じることはなく、かつ適度な高弾発性が発揮される。
【０００６】
本件考案者は、このようなダブルラッセルネットの優れた強度と水分透過性と通気性と弾発性に着目して敷布団として使用したところ、汗の透過がよくて蒸れにくく、沈み込みがほとんどなく転がり運動も容易である等、安眠できるための条件を実現できることを確認し、本考案を想到した。
【考案の概要】
【考案が解決しようとする課題】
【０００７】
すなわち、本考案は、上記問題を解決しようとするもので、睡眠時に発生する多量の汗の処理が容易であり、沈み込みがほとんどなく転がり運動も容易である敷布団を提供することを目的とする。
【課題を解決するための手段】
【０００８】
上記目的を達成するために、本考案の構成上の特徴は、長方形のネット状の厚板であって、両面が樹脂線維を用いたラッセル編みにより線状の六角形を蜂の巣状に連続して組み合わせたラッセル編み面になっており、両ラッセル編み面間を樹脂線維で彎曲状に編んでつなぎ合わせ、加熱状態で引き伸ばされると共に樹脂加工が施された厚さ１８ｍｍ〜３０ｍｍの敷き板を、布製のカバーで包んでなることにある。なお、樹脂材料としては、ポリエステル系熱可塑性樹脂材料が好ましい。また、加熱温度は１８０℃程度であり、樹脂加工としては主としてＮＢＲ（ニトリルゴム）を用いた加工が好ましい。また、敷き板は、厚さが１８ｍｍより小さくなると、汗の吸収空間が少なくなり、多量の発汗の処理に応じ難くなり、また３０ｍｍより大きくなると、両ラッセル編み面間をつなぐ樹脂線維が変形しやすくなり、異音が発生しやすくまた敷布団の沈み込みによりかえって寝心地が悪くなる。
【０００９】
上記のように構成した本考案においては、敷き板が、両面が樹脂線維を用いたラッセル編みにより線状の六角形を蜂の巣状に連続して組み合わせたラッセル編み面になっており、両ラッセル編み面間を樹脂線維で彎曲状に編んでつなぎ合わせたもので、空間部分が多くを占めるため、睡眠中の発汗特に乳幼児の多量の発汗を円滑に通過させあるいは一部を蒸発させることができ、残りの水分はカバー等で吸収される。そのため、敷き板は湿気や熱のこもらない快適な状態に維持される。さらに、敷き板は、厚さ方向の強度が確保されており、５０〜６０ｋｇ程度の平均的な成人の重さでも沈み込みがほとんどなく、また両面間に適度な弾発力が付与されるため、敷布団上を自由に転がることができる。その結果、本考案の敷布団により、快適な安眠が確保される。また、敷布団を構成する敷き板とカバーがいずれも安価な材料で形成されているため、敷布団が安価に提供される。さらに、敷布団は、カバーを外すことにより敷き板を簡単に取り外して洗濯できるため、大量の発汗によって頻繁に汚れても、簡単に清潔に保つことができる。
【００１０】
また、本考案において、敷き板の下側全面に重ね合わされ、敷き板と共にカバーで包まれた多孔質樹脂製の下敷き板を設けることができる。これにより、敷き板を通過した水分を下敷き板によって効果的に吸収することができる。また、水分を吸収した下敷き板のみを取り出して洗濯することにより、敷布団を簡単に清潔に保つことができる。
【００１１】
また、本考案において、敷き板の上側のラッセル編み面の六角形の最長長さを２０ｍｍ±１０％とし、下側のラッセル編み面の六角形の最長長さを４０ｍｍ±１０％とすることが好ましい。六角形の長さが２０ｍｍ±１０％より小さくなると、敷き板のわずかな変形により異音が発生し易く、また敷き板の弾発性も高くなり過ぎるため好ましくない。また、六角形の長さが４０ｍｍ±１０％より大きくなると、敷き板の厚さ方向の強度が低下して沈み込みが生じやすくなるため好ましくない。これにより、敷き板として必要な硬さを維持しつつ全体としての弾発性が高められるため、体の転がり運動がスムーズに行われ、敷布団に対する違和感が抑えられる。また、上側面の六角形の長さ２０ｍｍ±１０％とし、下側面の六角形の長さを４０ｍｍ±１０％として両面における空間部分を適正に設けたことにより、樹脂製繊維の組み合わせによる歪が抑えられ、それによる異音の発生を抑えて、敷布団としての快適な使用が確保される。
【００１２】
また、本考案において、下側のラッセル編み面にて、複数の六角形の一部について多孔質樹脂材料製の補強部材を内側空間に挿嵌固定させることが可能である。これにより、敷き板の強度が高められるため、特に体重が５０〜６０ｋｇ程度の平均的な成人が横たわって長期使用しても、敷き板のヘタリが抑えられる。その結果、敷布団の長期にわたっての継続使用が可能になる。また、この補強部材は簡単に着脱可能に挿嵌されるものであるから、敷き板の使用状態に応じて、補強部材の取付位置や取付個数を任意に選択することができる。
【００１３】
また、本考案において、カバーの長手方向の一端縁にて、敷き板と同一材質からなる厚さ１８ｍｍ〜２４ｍｍのネット部材を布製の外カバーで包んだ枕が取付具により取り付けられてもよい。これにより、頭部が非常に大きく特に後頭部の出っ張りが大きい乳幼児等に対して、枕により頭部が敷布団上面から少し下げられる。その結果、頭部と脊椎とが真っ直ぐにされ、両者間の脳脊髄液や血液のスムーズな流れが促されて、快適な睡眠が確保される。なお、この場合、ネット部材の首が当たる部分である一側端側に沿って樹脂線維を編んだ伸縮性と通気性を有する首当て部材を配設することが好ましく、これにより後頭部に対して凹んだ首部分を安定して支持することができる。
【考案の効果】
【００１４】
本考案によれば、敷き板が、両面が樹脂線維を用いたラッセル編み面になっており、両ラッセル編み面間を樹脂線維で彎曲状に編んでつなぎ合わせたもので、空間部分が多くを占めるため、睡眠中の多量の発汗を円滑に通過させあるいは一部を蒸発させることができ、残りの水分はカバー等で吸収され、また厚さ方向の強度が確保されて沈み込みも少なく両面間に適度な弾発力が付与される。その結果、本考案においては、敷き板は湿気がなく熱のこもらない快適な状態に維持され、敷布団上を自由に転がることができるため、快適な睡眠が確保される。また、本考案において、敷布団のカバーの長手方向の一端縁にて、敷き板と同一材質からなる枕を取付具によって取り付けることにより、頭部が非常に大きい乳幼児等に対して、枕により頭部が敷布団上面から少し下げられ、快適な睡眠が確保される。
【図面の簡単な説明】
【００１５】
【図１】本考案の一実施例である乳幼児用の敷布団をカバーの一部を除いて示す平面図である。
【図２】同敷布団をカバーの一部を除いて示す正面図である。
【図３】同敷布団の一部を拡大して示す拡大断面図である。
【図４】同敷布団の要部である敷き板の一部を拡大して示す拡大平面図である。
【図５】同敷き板の一部を拡大して示す拡大正面図である。
【図６】変形例である敷き板の一部を拡大して示す拡大平面図である。
【図７】同敷き板の一部を拡大して示す拡大正面図である。
【図８】実施例２である敷布団の長手方向一端側に枕を取り付けた状態をカバーの一部を除いて示す平面図である。
【図９】枕を取り付けた敷布団をカバーの一部を除いて示す正面図である。
【図１０】敷布団に取り付けられた枕を拡大して示す拡大側面図である。
【考案を実施するための形態】
【００１６】
以下、本考案の一実施例について図面を用いて説明する。図１，図２は実施例１である乳幼児用の敷布団（カバーの一部を除く）を平面図及び正面図により示し、図３は敷布団の正面の一部を拡大断面図により示したものである。敷布団１０は、縦９００ｍｍ×横７００ｍｍ×厚さ２３〜５５ｍｍの長方形厚板であり、上敷き板（敷き板）１１と、上敷き板１１下面全面に重ね合わされた下敷き板１６と、これらを包む布製のカバー１８とを備えている。なお、敷布団１０の縦横寸法については、用途等に応じて変更される。
【００１７】
上敷き板１１は、熱可塑性のポリエステル樹脂繊維製で縦３００ｍｍ×横７００ｍｍ×厚さ１８〜３０ｍｍの長方形の厚板を３枚並べたものであり、福井ファイバーテック株式会社製の商品名ダブルラッセルネットＦＵ−０８２５０（以下、単にＷラッセルネットと記す。）が好適に用いられる。Ｗラッセルネットは、図４、図５に示すように、体を載せる上側の上ラッセル編み面１２が、対向する一対の辺の長さが他の辺の長さより長い線状の六角形を蜂の巣状に連続して組み合わせたもので、六角形の長手方向長さが２０ｍｍ±１０％であり、ポリエステル製の２５０デニールのマルチファイバーによりラッセル織によって形成されている。また、Ｗラッセルネットの下側の下ラッセル編み面１３も、上ラッセル編み面１２と同様の線状の六角形を蜂の巣状に連続して組み合わせたもので、六角形の長手方向長さが４０ｍｍ±１０％であり、ポリエステル製の５００デニールのマルチファイバーによりラッセル織によって形成されている。
【００１８】
両ラッセル編み面１２，１３の間は、対向する上ラッセル編み面１２の六角形と下ラッセル編み面１３の六角形間を、ポリエステル製の１０００デニールのモノファイバーにより織って彎曲状のパイル部１４として連結させている。このように両ラッセル編み面１２，１３とパイル部１４を織った後、織った繊維を１８０℃で加熱しながら引っ張ってＮＢＲ加工を施すことにより、Ｗラッセルネットとして形成される。このように、Ｗラッセルネットは空間部分が多くの部分を占めており、重量が５５０ｇ／ｍ２±１０％の軽量な材質であり、上敷き板１１の全重量が３１０〜３８０ｇ程度と非常に軽量となる。
【００１９】
上敷き板１１の各厚板の下側全面には、それぞれ下敷き板１６が重ね合わされる。下敷き板１６は、伸縮性と通気性を有するウレタン等の多孔質樹脂製のスポンジ状の板であればよい。下敷き板１６は、厚さ５〜３０ｍｍ程度であり、上敷き板１１の厚さに応じて、敷布団１０全体の厚さが２５〜５５ｍｍ程度になるように厚さ調整される。カバー１８は、３組の重ね合わされた上敷き板１１と下敷き板１６をそれぞれ収容して一枚の板状になるように膨らむ連続してつなぎ合わされた３つの袋を有している。カバー１８は、３つの袋をつなぐ２つの境界の一方の境界１９ａが下側でつなぎ合わされており、他方の境界１９ｂが上側でつなぎ合わされている。そのため、敷布団１０は、２つの境界１９ａ，１９ｂで簡単に折り畳むことができるようになっている。
【００２０】
上記構成の実施例１においては、長方形の上敷き板１１が、ポリエステル樹脂線維を用いたラッセル編み面１２，１３が六角形を蜂の巣状に連続して組み合わされ、ラッセル編み面１２，１３間が多数のポリエステル樹脂で彎曲状につなぎ合わされて厚さ１８ｍｍ〜３０ｍｍにされていることにより、空間部分が多くを占めるため内部の通気性が高められ、乳幼児の睡眠中の多量の発汗を円滑に通過させあるいは一部を蒸発させることができ、残りの水分は多孔質樹脂製の下敷き板１６で吸収される。そのため、上敷き板１１は湿気がなく熱のこもらない快適な状態に維持される。また、上敷き板１１は、厚さ方向の強度が確保されて沈み込みも少なく、両面間に適度な弾発力が付与されるため、体重５〜１０ｋｇ程度の乳幼児が敷布団１０上を自由に転がることができる。その結果、実施例１においては、敷布団１０により、乳幼児の安眠が確保される。
【００２１】
また、実施例１では、敷布団１０のカバー１８を外すことにより、上敷き板１１と下敷き板１６を簡単に取り出してそれぞれ洗濯できるため、大量の発汗によって頻繁に汚れても、敷布団１０を簡単に清潔に保つことができる。さらに、上敷き板１１の上側面の六角形の長さ２０ｍｍ±１０％とし、下側面の六角形の長さを４０ｍｍ±１０％として両面における空間部分を適正に設けたことにより、樹脂製繊維の組み合わせによる歪が抑えられ、それによる異音の発生を抑えて、敷布団としての快適な使用が確保される。また、敷布団１０は上敷き板１１と下敷き板１６とカバー１８の安価な材料により構成されているため、安価に提供される。なお、実施例１においては、乳幼児用の敷布団１０について説明されているが、敷布団の縦横の寸法を大きくすることにより、乳幼児以外の使用も可能である。
【００２２】
つぎに、上記実施例１の変形例について説明する。変形例では、図６、図７に示すように、上敷き板１１Ａが、上記上敷き板１１の下ラッセル編み面１３にて、複数の六角形の一部について弾発性を有するウレタン樹脂、ポリエステル樹脂等の多孔質樹脂材料製の六角形の補強部材２１がその内部空間に着脱可能に挿嵌固定されている。これにより、上敷き板１１Ａの厚さ方向の強度が一層高められるため、特に体重が５０〜６０ｋｇ程度の平均的な成人が横たわって長期使用しても、上敷き板１１のヘタリが確実に抑えられる。その結果、成人用としても敷布団１０の長期にわたっての継続使用が可能になる。また、この補強部材２１は着脱可能に挿嵌されるものであるから、上敷き板１１の使用状態に応じて、補強部材２１の取付位置や取付個数を任意に選択することができる。
【００２３】
つぎに、実施例２について説明する。実施例２では、図８、図９に示すように、敷布団１０のカバー１８の長手方向の一端縁にて、枕２３を取り付けたものである。乳幼児は体が小さいのに対して頭部は非常に大きくバランスが悪く、そのため、通常は頭部に枕をかう必要はない。しかし、頭部が非常に大きく特に後頭部の出っ張りが大きい幼児に対しては、むしろ頭部を少し下げた方がよい場合がある。この場合、敷布団１０の長手方向一端側にその上面に対してわずかに低くなるように枕２３を置くとよい。これにより、頭部と脊椎とが真っ直ぐにされ、両者間の脳脊髄液や血液のスムーズな流れが確保される。
【００２４】
枕２３は、図１０に示すように、縦２５０ｍｍ×横５００ｍｍ×厚さ２０〜４０ｍｍ程度の長方形の厚板状であり、布製袋カバー２５で包まれた上敷き板１１と同一材質で厚さが１８〜２４ｍｍのネット部材２４と、ネット部材２４の一側縁側に置かれた適度な伸縮性と通気性を有する樹脂製材質である首当て部材２６と、ネット部材２４の下側に配設された下敷き板１６と同様の材質の下板２８と、これらを包む布製の外カバー２９とを備えている。首当て部材２６は、縦７０ｍｍ×横５００ｍｍ×厚さ１５〜３０ｍｍ程度であり、ポリエステル系熱可塑性樹脂からなる網状構造体である東洋紡績株式会社製の商品名ブレスエアーが好適に用いられる。下板２８上に、袋カバー２５が巻き付けられたネット部材２４を載せ、その一端側に布製カバー２７が巻き付けられた首当て部材２６を載置した状態で、全体を布製の外カバー２９で巻き付けてその両端を両面テープ３１で固定させ、さらに外カバー２９の両側の各２箇所に設けた紐３２を縛り付けることにより、ネット部材２４、首当て部材２６、下板２８が動かないように固定されて枕２３として形成される。
【００２５】
敷布団１０の長手方向両端縁においては、取付具である布製の取付片３５が取り付けられており、取付片３５の上面には面状ファスナー３５ａが取り付けられている。枕２３は、その一端側の裏面に面状ファスナー３３が取り付けられており、面状ファスナー３３を取付片３５の面状ファスナー３５ａに貼り付けることにより敷布団１０に取り付けることができる。また、取付片３５が敷布団１０の長手方向両端に設けられたことにより、枕２３をいずれの側にも取り付けることができるので、敷布団１０をいずれの側を主としても使用することができる。枕２３の寸法については上記値に限らない。また、首当て部材２６については、必要に応じて省くことが可能である。なお、枕２３を敷布団１０に取り付ける取付具の形態については、実施例に示したものに限らず種々の形態が可能である。
【００２６】
なお、上記各実施例の敷布団は下敷き板を設けているが、下敷き板を省いて上敷き板のみとすることも可能である。上敷き板のみでも、上記実施例に示した効果は得られる。ただし、この場合は、敷布団の下側に布、通常の敷布団、マットレス等を敷くことが好ましい。また、上記実施例も含めて、冬季等の外気温が低下したときは、敷布団の下に布、通常の敷布団、マットレス等を敷くことにより、寒気を遮断できる。その他、上記各実施例に示した敷布団については一例であり、本考案の趣旨を逸脱しない範囲において種々変更して実施することができる。
【産業上の利用可能性】
【００２７】
本考案の敷布団は、敷き板の両面が樹脂線維を用いたラッセル編み面になっており、両ラッセル編み面間を樹脂線維で彎曲状に編んでつなぎ合わせたもので、睡眠中の多量の発汗を円滑に通過させあるいは一部を蒸発させることができ、湿気がなく熱のこもらない快適な状態に維持され、また、厚さ方向の強度が確保されて沈み込みも少なく敷布団上を自由に転がることができ、安眠が確保されるので、有用である。
【符号の説明】
【００２８】
１０…敷布団、１１…上敷き板、１６…下敷き板、１８…カバー、２３…枕。
【図１】
0003152192.tif 000003
【図２】
0003152192.tif 000004
【図３】
0003152192.tif 000005
【図４】
0003152192.tif 000006
【図５】
0003152192.tif 000007
【図６】
0003152192.tif 000008
【図７】
0003152192.tif 000009
【図８】
0003152192.tif 000010
【図９】
0003152192.tif 000011
【図１０】
0003152192.tif 000012